(57)【要約】      （修正有）【課題】別途のバッテリーや充電器もなし多様な光源効果を提供することができる玩具及び玩具の動作方法を提供する。【解決手段】一つ以上の発光素子を具備する玩具１００の周辺に位置した無線リーダー装置２００から無線タグ３００のリーディングのための無線信号を受信する無線信号受信部と、無線信号から誘導起電力を生成するコイル部と、コイル部と連結されて、一つ以上の発光素子に誘導起電力に基礎した駆動電源を印加するように制御する制御部を含む。【選択図】図１
2016087399.tif 000002
【特許請求の範囲】
【請求項１】
一つ以上の発光素子を具備する玩具において、
前記玩具の周辺に位置した無線リーダー装置から無線タグのリーディングのための無線信号を受信する無線信号受信部と、
前記無線信号から誘導起電力を生成するコイル部と、及び
前記コイル部と連結されて、前記一つ以上の発光素子で前記誘導起電力に基礎した駆動電源を印加するように制御する制御部を含むことを特徴とする玩具。
【請求項２】
前記制御部は、
前記誘導起電力によって前記無線リーダー装置との距離を測定する距離センシング部と、及び
前記センシングされる距離によって前記一つ以上の発光素子に印加される駆動電源の電力の大きさを可変する明るさ調節部を含むことを特徴とする請求項１に記載の玩具。
【請求項３】
前記制御部は、
前記誘導起電力によって前記無線リーダー装置との距離を測定する距離センシング部と、及び
前記センシングされる距離によって前記一つ以上の発光素子に印加される駆動電源の色相を可変する色相調節部を含むことを特徴とする請求項１に記載の玩具。
【請求項４】
前記制御部は、
前記誘導起電力によって前記無線リーダー装置との距離を測定する距離センシング部と、及び
前記センシングされる距離によって前記一つ以上の発光素子の点灯を制御する点灯調節部を含んで、
前記点灯調節部は前記センシングされる距離が第１臨界値以上である場合第１発光素子を点灯して、第２臨界値以上である場合前記第１発光素子及び第２発光素子を点灯することを特徴とする請求項１に記載の玩具。
【請求項５】
前記無線リーダー装置は、
前記無線リーダー装置に近付く近距離通信カードからカード情報をリーディングするためのカードリーダー部を含んで、
前記無線信号は前記近距離通信カードリーディングのためのリーディング信号を含むことを特徴とする請求項１に記載の玩具。
【請求項６】
前記無線リーダー装置は近距離無線通信モジュールを含むモバイル端末機であることを特徴とする請求項１に記載の玩具。
【請求項７】
前記一つ以上の発光素子は前記玩具の前面部に露出する一つ以上のＬＥＤ素子を含むことを特徴とする請求項１に記載の玩具。
【請求項８】
前記一つ以上のＬＥＤ素子は、前記無線リーダー装置との距離による点滅制御方式が相異な２以上のＬＥＤ素子を含むことを特徴とする請求項７に記載の玩具。
【請求項９】
前記無線リーダー装置に前記玩具の識別情報及びディスプレイパターン情報を送る無線タグ部をさらに含むことを特徴とする請求項１に記載の玩具。
【請求項１０】
一つ以上の発光素子を具備する玩具の制御方法において、
前記玩具の周辺に位置した無線リーダー装置から無線通信のための無線信号を受信する段階と、
前記無線信号から誘導起電力を生成する段階と、
前記誘導起電力によって前記無線リーダー装置との距離をセンシングする段階と、及び
前記センシングされた距離によって前記一つ以上の発光素子で駆動電源を印加するように制御する段階と、を含む玩具の制御方法。
【請求項１１】
前記制御する段階は、
前記センシングされる距離によって前記一つ以上の発光素子に印加される駆動電源の大きさまたは色相のうちで少なくとも一つを制御する段階を含むことを特徴とする請求項１０に記載の玩具の制御方法。
【請求項１２】
前記制御する段階は、
前記センシングされる距離が第１臨界値以上である場合第１発光素子を点灯して、第２臨界値以上である場合前記第１発光素子及び第２発光素子を点灯する段階を含むことを特徴とする請求項１０に記載の玩具の制御方法。
【請求項１３】
前記無線リーダー装置は、
近距離に位置したＮＦＣカードをリーディングするためのＮＦＣカードリーダーを含んで、
前記無線信号は前記ＮＦＣカードをリーディングするためのリーディング信号に対応されることを特徴とする請求項１０に記載の玩具の制御方法。
【請求項１４】
前記無線リーダー装置は選択的にオンオフ可能な近距離無線通信モジュールを含んで、前記近距離無線通信モジュールがオン状態であるモバイル端末機であることを特徴とする請求項１０に記載の玩具の制御方法。
【発明の詳細な説明】
【技術分野】
【０００１】
本発明は、玩具及び玩具の動作方法に関するものであり、より詳細には、別途のバッテリーや充電器なしも多様な光源効果を提供することができる玩具及び玩具の動作方法に関するものである。
【背景技術】
【０００２】
玩具は使用者の情緒涵養と遊戯にお手助けになるためにロボット、人形などの特定の形態を有して使用者との交感を誘導することができるようにする装置を言える。一般に、使用者に楽しさを倍加するための効果らを与えるために動作玩具または発光玩具等が提供されている。特に、光源を具備して多様な発光を提供する玩具らの場合、バッテリーや充電器などを含む電源部が別途具備され、電力の供給を受けるようになって、これを通じて使用者の視覚的楽しさを誘発する光源効果を提供することができるようになる。しかし、このような従来の発光玩具は、バッテリーまたは充電のための電源部が玩具内に具備されていなければならなくて、電源が放電された場合バッテリーを脱付着するか、または別途ケーブルを連結して充電しなければならない煩わしさが存在している。
【発明の概要】
【発明が解決しようとする課題】
【０００３】
本発明は、前記のような課題を解決するためのものであり、玩具の周辺に位置した無線リーダー装置から無線タグのリーディングのための無線信号を利用して、誘導起電力による光源玩具の発光素子に対する発光制御を遂行することで、別途のバッテリーや充電器なしも使用者に光源効果を提供することができるし、無線リーダー装置との連携を通じて新しい遊戯を提供することができる玩具及び玩具の動作方法を提供することにその目的がある。
【課題を解決するための手段】
【０００４】
前記のような課題を解決するための本発明の実施例による玩具は、一つ以上の発光素子を具備する玩具において、前記玩具の周辺に位置した無線リーダー装置から無線タグのリーディングのための無線信号を受信する無線信号受信部と、前記無線信号から誘導起電力を生成するコイル部と、及び前記コイル部と連結されて、前記一つ以上の発光素子で前記誘導起電力に基礎した駆動電源を印加するように制御する制御部と、を含む。
【０００５】
また、前記のような課題を解決するための一つ以上の発光素子を具備する玩具の制御方法は、前記玩具の周辺に位置した無線リーダー装置から無線通信のための無線信号を受信する段階と、前記無線信号から誘導起電力を生成する段階と、前記誘導起電力によって前記無線リーダー装置との距離をセンシングする段階と、及び前記センシングされた距離によって前記一つ以上の発光素子で駆動電源を印加するように制御する段階と、を含む。
【０００６】
一方、前述した方法は、コンピューターで実行させるためのプログラムまたはそのプログラムが記録された記録媒体で具現されることができる。
【発明の効果】
【０００７】
本発明の実施例による玩具は、その玩具の周辺に位置した無線リーダー装置から無線タグのリーディングのための無線信号を利用して、コイル部を通じて誘導起電力を発生させて、誘導起電力による光源玩具の発光素子に対する発光制御を遂行することができる。
【０００８】
これによって、別途のバッテリーや充電器なしも使用者に光源効果を提供することができるようになる。無線リーダー装置との連携を通じて新しい遊戯を提供することができる。
【０００９】
また、各発光素子別で無線リーダー装置との距離によってお互いに異なる方式の点滅方式を提供することで、無線リーダー装置との連動を提供することができる。これによって、子供などの玩具使用者は無線リーダー装置に対する使用原理などの理解度を高めて親密度を向上させることができるようになる。
【図面の簡単な説明】
【００１０】
【図１】図１は本発明の実施例による玩具と無線リーダー装置との関係を示す図面である。
【図２】図２は本発明の実施例による玩具の詳細構成を説明するためのブロック図である。
【図３】図３は本発明の実施例による玩具と無線リーダー装置間の動作実施例を示すための図面である。
【図４】図４は本発明の実施例による玩具と無線リーダー装置間の動作実施例を示すための図面である。
【図５】図５は本発明の実施例による玩具の動作方法を説明するための流れ図である。
【図６】図６は本発明の他の一実施例による玩具及び無線リーダー装置間の動作を説明するための図面である。
【図７】図７は本発明の他の一実施例による玩具及び無線リーダー装置間の動作を説明するための図面である。
【発明を実施するための形態】
【００１１】
以下の内容は単に本発明の原理を例示する。それで、当業者はたとえ本明細書に明確に説明されるか、または図示されなかったが、本発明の原理を具現して本発明の概念と範囲に含まれた多様な装置を発明することができるものである。また、本明細書に列挙されたすべての条件部用語及び実施例らは原則的に、本発明の概念が理解されるようにするための目的だけで明白に意図されて、このように特別に列挙された実施例ら及び状態らに制限的ではないものとして理解されなければならない。
【００１２】
また、本発明の原理、観点及び実施例だけでなく特定実施例を列挙するすべての詳細な説明は、このような事項の構造的及び機能的均等物を含むように意図されるものとして理解されなければならない。また、このような均等物らは現在公知された均等物だけではなく将来に開発される均等物、すなわち、構造と無関に同一な機能を遂行するように発明されたすべての素子を含むものとして理解されなければならない。
【００１３】
したがって、例えば、本明細書のブロック図は、本発明の原理を具体化する例示的な回路の概念的な観点を示すものとして理解されなければならない。これと類似に、すべての流れ図、状態変換図、意思コードなどはコンピューターが判読可能な媒体に実質的に示すことができるし、コンピューターまたはプロセッサが明白に示されたかの可否を問わずコンピューターまたはプロセッサによって遂行される多様なプロセスを示すものとして理解されなければならない。
【００１４】
プロセッサまたはこれと類似な概念で表示された機能ブロックを含む図面に示された多様な素子の機能は、専用ハードウェアだけではなく適切なソフトウェアと関連されてソフトウェアを実行する能力を有したハードウェアの使用で提供されることができる。プロセッサによって提供される時、前記機能は単一専用プロセッサ、単一共有プロセッサまたは複数の個別的プロセッサによって提供されることができるし、これらのうちで一部は共有されることができる。
【００１５】
またプロセッサ、制御またはこれと類似な概念で提示される用語の明確な使用はソフトウェアを実行する能力を有したハードウェアを排他的に引用して解釈されてはならなくて、制限なしにデジタル信号プロセッサ（ＤＳＰ）ハードウェア、ソフトウェアを記憶するためのロム（ＲＯＭ）、ラム（ＲＡＭ）及び非揮発性メモリーを暗示的に含むものとして理解されなければならない。周知慣用の他のハードウェアも含まれることができる。
【００１６】
本明細書の請求範囲で、詳細な説明に記載した機能を遂行するための手段で表現された構成要素は、例えば、前記機能を遂行する回路素子の組合またはファームウェア／マイクロコードなどを含むすべての形式のソフトウェアを含む機能を遂行するすべての方法を含むものとして意図されたし、前記機能を遂行するように前記ソフトウェアを実行するための適切な回路と結合される。このような請求範囲によって定義される本発明は、多様に列挙された手段によって提供される機能らが結合されて、請求項が要求する方式と結合されるために前記機能を提供することができるどのような手段も本明細書から把握されるものと均等なものとして理解されなければならない。
【００１７】
前述した目的、特徴及び長所は、添付された図面と関連された次の詳細な説明を通じてより明らかになるはずであり、それによって本発明が属する技術分野で通常の知識を有した者が本発明の技術的思想を容易に実施することができるであろう。また、本発明を説明するにおいて、本発明と関連される公知技術に対する具体的な説明が本発明の要旨を不必要に曇ることがあると判断される場合にその詳細な説明を略することにする。
【００１８】
以下、添付された図面を参照して本発明による望ましい一実施例を詳しく説明することにする。
【００１９】
図１は、本発明の実施例による玩具と無線リーダー装置との関係を示す図面である。
【００２０】
図１を参照すれば、本発明の実施例による玩具１００は、複数の光源を含むロボットまたは人形形態の玩具であることができる。使用者は玩具１００を物理的に移動させて無線リーダー装置２００と近く近付くようにするか、または遠くなるようにできる。
【００２１】
無線リーダー装置２００は基本的に周辺に位置した無線タグ３００と通信して無線タグ３００の情報をリーディングする機能を遂行することができる。例えば、無線リーダー装置２００はＮＦＣカードリーダー、ＲＦＩＤリーダー、ＷＩＦＩタグリーダーまたは近距離通信機能がともっているモバイル端末機やスマートフォンなどの形態で提供されることができる。
【００２２】
そして、無線リーダー装置２００はタグ情報リーディングのための無線信号を送り出すことができる。無線信号は電磁気場の形態で伝送される電波信号であることができる。一般に、無線タグ３００は電磁気場の形態で伝送された電波信号を復調して、復調された信号にしたがって内部に記憶されている製品データやセンサー情報をリーダー器に送る。
【００２３】
一方、使用者は玩具１００を無線リーダー装置２００に接近させることができるし、玩具１００は無線リーダー装置２００から上述した無線通信のための無線信号を受信することができる。前述したように、無線リーダー装置２００で送信される無線信号は電波の形態を有するので、玩具１００は玩具１００の動作に必要な電力を無線信号から獲得するための誘導コイルを含むことができる。誘導コイルは前記無線信号から誘導起電力を生成して、玩具１００は前記誘導起電力によって前記無線リーダー装置２００との距離をセンシングして、前記センシングされた距離によって前記一つ以上の発光素子で駆動電源を印加するように制御することができる。
【００２４】
これを具現するための玩具１００の詳細構成に対して図２を参照してより具体的に説明するようにする。
【００２５】
図２は、本発明の実施例による玩具の詳細構成を説明するためのブロック図である。
【００２６】
図２を参照すれば本発明の実施例による玩具１００は、制御部１１０、無線信号受信コイル１２０、電力ドライブ回路１３０及び一つ以上の発光素子１４０Ａ、１４０Ｂ、…を含む。
【００２７】
先ず、無線信号受信コイル１２０は、無線リーダー装置２００から送り出される無線信号を受信して、誘導起電力を生成して電力ドライブ回路１３０に伝達する。
【００２８】
無線信号受信コイル１２０は、無線信号を１次的に受信するための少なくても一つのコイルを含むことができる。無線信号受信コイル１２０は一般な無線信号を受信するための無線タグ３００において、その動作に必要な電力を生成するための発振手段の形態を有することができる。また、無線信号受信コイル１２０は無線信号から誘導起電力のみを生成するために、変調手段や復調手段は含まなくてその機能を最小限で具現することができる。
【００２９】
特に、無線信号受信コイル１２０は、無線リーダー装置２００が送った無線信号の電波から発生される磁場変化に従って誘導起電力を生成することができる。このために、無線信号受信コイル１２０は無線信号受信及び誘導起電力発生のために特定のパターンを有するアンテナが形成される金属層を含むか、または金属がプリンティングされた形態で玩具１００の背面部に含まれることができる。使用者は玩具１００の背面を無線リーダー装置２００方向で当てることで無線信号受信コイル１２０が誘導起電力を発生させるようにすることができる。
【００３０】
また、無線信号受信コイル１２０は発生された誘導起電力の一部を制御部１１０に提供して制御部１１０の動作電源を提供することができる。制御部１１０は誘導起電力の一部を受信して玩具１００の全般的な動作を制御することができるし、電力ドライブ回路１３０をコントロールして発光素子１４０Ａ、１４０Ｂ…らに対する電源印加制御を遂行することができる。
【００３１】
そして、無線信号受信コイル１２０は、発生される誘導起電力の全部または一部を電力ドライブ回路１３０に伝達して、制御部１１０の制御によってあらかじめ決まった発光素子１４０Ａ、１４０Ｂ、…で駆動電源が印加されるようにする。
【００３２】
ここで、電力ドライブ回路１３０は、制御部１１０で受信されるコントロール信号によって一つ以上の発光素子１４０Ａ、１４０Ｂ、…に電源印加を遂行することができる。
【００３３】
そして、電力ドライブ回路１３０は、制御部１１０から受信される制御信号によって無線信号受信コイル１２０で生成される誘導起電力を増幅及び調節して、所定の大きさの電源が各発光素子１４０Ａ、１４０Ｂ、…に供給されるように制御することができる。電源は所定の周波数、パルス幅及びデューティー比を有するあらかじめ決まった電流であることができるし、これによって、発光素子１４０Ａ、１４０Ｂ、…らは所定の強度と色相で発光するか、または点滅することができる。
【００３４】
一方、制御部１１０は無線信号受信コイル１２０で受信される無線信号が発生する誘導起電力が一つ以上の発光素子１４０Ａ、１４０Ｂ、…の電源に印加されるように電力ドライブ回路１３０を制御する。
【００３５】
このために、制御部１１０は距離センシング部１１１、点灯調節部１１３、明るさ調節部１１５及び色相調節部１１７を含むことができる。
【００３６】
先ず、距離センシング部１１１は前記誘導起電力によって前記無線リーダー装置との距離を測定する。
【００３７】
無線リーダー装置２００で送信される無線信号は周辺に電磁気場を形成することができるし、磁場の強さは無線リーダー装置２００と玩具１００の距離が近くなることによって高くなることができる。これによって、無線信号受信コイル１２０で１次的に生成される誘導起電力の大きさも大きくなることができる。
【００３８】
したがって、距離センシング部１１１は無線信号受信コイル１２０で１次生成される誘導起電力の大きさによって無線リーダー装置２００との距離をセンシングすることができる。
【００３９】
前記した本発明の一実施例で、距離センシング部１１１は制御部１１０内に別に具備されるものとして説明されているが、本発明は距離センシング部１１１の具現方式を制限しない。距離センシング部１１１は制御部１１０回路機能の一部で含まれることができるし、単純な比較回路で具現されるか、または電力ドライブ回路１３０機能の一部で含まれることもできる。距離センシング部１１１はセンシングされた距離に対する情報をデジタル値に変換して出力するか、またはあらかじめ決まった距離臨界値との比較結果を出力するか、または誘導起電力の大きさ値自体を距離情報でセンシングして出力することもできる。
【００４０】
そして、明るさ調節部１１５は前記センシングされる距離によって前記一つ以上の発光素子に印加される駆動電源の電力の大きさを可変することができる。
【００４１】
明るさ調節部１１５はセンシングされる距離によって一つ以上の発光素子１４０Ａ、１４０Ｂ、…に印加される駆動電源の電力の大きさを可変することで各発光素子１４０Ａ、１４０Ｂ、…の明るさを調節することができる。
【００４２】
例えば、明るさ調節部１１５はセンシングされる距離があらかじめ決まった臨界値以上である場合に駆動電源を第１段階で維持していながら臨界値以下で近くなった場合、第２段階に変更されるように駆動電源の電力の大きさを可変するための制御信号を電力ドライブ回路１３０に出力することができる。
【００４３】
このような明るさ調節部１１５の制御によって、電力ドライブ回路１３０は発光素子１４０Ａ、１４０Ｂ、…で駆動電源を提供するにおいて、他の値は維持される状態でその明るさだけ変更するための電流大きさ制御を遂行することができる。
【００４４】
一方、色相調節部１１７は前記センシングされる距離によって前記一つ以上の発光素子の色相を制御するための色相制御信号を生成することができる。
【００４５】
色相調節部１１７はセンシングされる距離によって一つ以上の発光素子１４０Ａ、１４０Ｂ、…に印加される駆動電源のデジタル信号を可変することで、各発光素子１４０Ａ、１４０Ｂ、…の色相を調節することができる。
【００４６】
例えば、一つ以上の発光素子１４０Ａ、１４０Ｂ、…はＲＥＤ、ＧＲＥＥＮ、ＢＬＵＥのうちで少なくとも一つを含む複数のＬＥＤ光源を含むことができる。これによって、色相調節部１１７は各発光素子１４０Ａ、１４０Ｂ、…に印加される電源信号出力に対応されるデジタル値を可変してＲＥＤ、ＧＲＥＥＮ、ＢＬＵＥ光源のうちで少なくとも一つが発光するように制御することができる。各光源の発光変化によって、結果的に外部に露出する発光素子１４０Ａ、１４０Ｂ、…の色相があらかじめ設定された色に変更されることができる。
【００４７】
例えば、色相調節部１１７はセンシングされる距離があらかじめ決まった臨界値以上である場合駆動電源に対応されるデジタル信号を第１色相に対応されるデジタル信号で維持していながら臨界値以下で近くなった場合、第２色相に対応されるデジタル信号に変更されるように制御することができる。
【００４８】
また、色相調節部１１７はその駆動電源のパルス信号を可変するための制御信号を電力ドライブ回路１３０に出力することができる。
【００４９】
このような色相調節部１１７の制御によって、電力ドライブ回路１３０は発光素子１４０Ａ、１４０Ｂ、…で駆動電源を提供するにおいて、他の値は維持される状態でその色相だけ変更するためのパルスまたはデューティー比の制御を遂行することができる。
【００５０】
一方、点灯調節部１１３は前記センシングされる距離によって前記一つ以上の発光素子の点灯パターンを制御するための点灯制御信号を生成することができる。
このために、点灯調節部１１３はセンシングされる距離によって一つ以上の発光素子１４０Ａ、１４０Ｂ、…に印加される駆動電源のパルス信号またはデューティー比を可変することで各発光素子１４０Ａ、１４０Ｂ、…の点灯パターンを調節することができる。
【００５１】
例えば、点灯調節部１１３はセンシングされる距離があらかじめ決まった臨界値以上である場合駆動電源を制御して第１発光素子がともるように点灯することができるし、第２臨界値以上である場合前記第１発光素子及び第２発光素子が一緒にともるように点灯することができる。
【００５２】
また、点灯調節部１１３はセンシングされた距離によって駆動電源のパルス信号の周波数を、あらかじめ決まったパターン（点灯周期パターン）によって、ランダムで変化させることもできる。例えば、周波数及びパルス幅を変更するか、または距離による複数の点灯周期パターンをあらかじめ具備し、これに対応される制御信号を電力ドライブ回路１３０に出力することができる。
【００５３】
このような制御部１１０の制御によって、玩具１００と無線リーダー装置２００間の距離によるお互いに異なる明るさ、色相または点灯パターンの変化を提供することができるようになるし、使用者は新しい楽しさを得ることができるし、玩具１００と無線リーダー装置２００との間の動作に対する好奇心を誘発して、原理理解による学習効果を提供することができる。
【００５４】
図３及び図４は、本発明の実施例による玩具と無線リーダー装置間の動作実施例を示すための図面らである。
【００５５】
図３及び図４に示されたように、玩具１００はロボット形態または人形形態のハウジングを含むことができるし、第１発光素子１４０Ａが玩具１００ハウジングの前面部に露出するように配置されることができる。また、詳しく示されなかったが無線信号受信コイル１２０は玩具１００ハウジングの背面部に配置されることで、無線リーダー装置２００からの無線信号をより容易に受信するようにできる。
【００５６】
そして、無線リーダー装置２００は近距離通信モジュールを含む多様なリーダー装置を含むことができる。
【００５７】
例えば、無線リーダー装置２００は周辺に位置した無線タグカードからカード情報をリーディングするためのカードリーダーであることができる。これによって、無線リーダー装置はカードリーディングのための磁場信号を周辺に送り出すことができる。
【００５８】
また、無線リーダー装置２００は近距離無線通信モジュールを含むモバイル端末機であることができる。一般にモバイル端末機の場合、近距離無線通信モジュールが選択的にオンオフされることができるし、本実施例でのモバイル端末機の場合近距離無線通信モジュールがオン、すなわち、ともっていることを前提に本発明の実施例による玩具１００が動作可能になる。
【００５９】
先ず、図３（Ａ）に示されたように、玩具１００と無線リーダー装置２００との距離が一定距離以上遠い状態によって、無線信号受信コイル１２０から出力される誘導起電力はあらかじめ決まった臨界値以下であることがある。これによって、第１発光素子１４０Ａは発光しない状態で維持されるか、またはその明るさが第１段階である状態で維持されることができる。
【００６０】
そして、図３（Ｂ）に示されたように、使用者が玩具１００を移動させて無線リーダー装置２００との距離が一定距離以下で近くなった場合、無線信号受信コイル１２０から出力される誘導起電力があらかじめ決まった臨界値以上に増加することができる。これによって、第１発光素子１４０Ａは発光する状態で変更されるか、またはその明るさが前記第１段階より高い第２段階である状態で変更されることができる。
【００６１】
一方、図４では発光素子１４０Ａ、１４０Ｂ、…らの点灯制御が無線リーダー装置２００との距離によって個別的になされる実施例を示している。
【００６２】
本発明の実施例によれば、玩具１００のハウジングには無線リーダー装置２００との距離による点滅制御方式が相異な２以上のＬＥＤ素子を含むことができる。
図４に示されたように、玩具１００は第１発光素子１４０Ａと点滅制御方式が相異な第２発光素子１４０Ｂを含むことができる。例えば、第１発光素子１４０Ａは玩具１００の胸部位に配置されて、第２発光素子１４０Ｂは玩具１００の目部位に配置されることができる。そして、各発光素子１４０Ａ、１４０Ｂは点灯される無線リーダー装置２００との点灯距離臨界値が相異であることがある。
【００６３】
図４（Ａ）で示された玩具１００の場合、各発光素子１４０Ａ、１４０Ｂの明るさが一定値以下で維持されている。
【００６４】
そして、図４（Ｂ）に示されたように、使用者が玩具１００を移動させて無線リーダー装置２００との距離が第１距離以下で近くなった場合、無線信号受信コイル１２０から出力される誘導起電力があらかじめ決まった第１臨界値以上に増加することができる。これによって、第１発光素子１４０Ａは発光する状態で変更することができる。しかし、第２発光素子１４０Ｂは玩具２００が第２距離以上遠い状態であるので、発光しないこともある。
【００６５】
以後、図４（Ｃ）に示されたように、使用者が玩具１００を移動させて無線リーダー装置２００との距離が第２距離以下で近くなった場合、無線信号受信コイル１２０から出力される誘導起電力はあらかじめ決まった第２臨界値以上に増加することができる。これによって、第１発光素子１４０Ａ及び第２発光素子１４０Ｂがすべて発光する状態に変更されることができる。
【００６６】
このように、本発明の実施例による玩具１００は、無線リーダー装置２００との距離によって各発光素子１４０Ａ、１４０Ｂ、…らの点滅方式が相異に指定されることができるようになるし、使用者は距離調節による光源効果の変更を通じて新しくてより楽しい遊戯を得ることができるようになる。
【００６７】
図５は、本発明の実施例による玩具の動作方法を説明するための流れ図である。
図５を参照すれば、本発明の実施例による玩具１００は、無線リーダー装置２００から送信される無線タグリーディング信号を受信する（Ｓ１０１）。
【００６８】
無線信号受信コイル１２０は無線リーダー装置２００から送信される無線タグリーディング信号を受信することができる。無線リーダー装置２００は周辺に位置した無線タグを識別し、その情報を受信するための無線タグリーディング信号を送り出すことができる。
【００６９】
ここで、無線リーダー装置２００はカードリーダーであるか、または近距離通信モジュールを含むモバイル端末機であることができる。無線リーダー装置２００がモバイル端末機である場合、無線リーダー装置２００には無線タグリーディング信号を送り出すためのアプリケーションが設置されることができる。
【００７０】
そして、玩具１００はリーディング信号の磁場から誘導起電力を発生させる（Ｓ１０３）。
【００７１】
無線信号受信コイル１２０は受信された無線タグリーディング信号の磁場変化に従って誘導起電力を発生することができる。
無線タグリーディング信号の電磁気波は磁場の変化を誘導することができるし、磁場変化に従って無線信号受信コイル１２０の金属コイルには誘導起電力による電流が発生されることができる。
【００７２】
以後、玩具１００は誘導起電力によって無線リーダー装置２００との距離をセンシングする（Ｓ１０５）。
【００７３】
距離センシング部１１１は、誘導起電力の大きさによる無線リーダー装置２００との距離をセンシングすることができる。距離センシング部１１１は制御部１１０回路機能の一部で含まれることができるし、単純な比較回路で具現されるか、または電力ドライブ回路１３０機能の一部で含まれることもできる。
【００７４】
距離センシング部１１１はセンシングされた距離に対する情報をデジタル値に変換して出力するか、またはあらかじめ決まった距離臨界値との比較結果を出力するか、または誘導起電力の大きさ値自体を距離情報にセンシングして出力することもできる。
【００７５】
そして、玩具１００は無線リーダー装置２００との距離によって発光素子１４０Ａ、１４０Ｂ、…に印加される駆動電力の強さ及び制御信号を決める（Ｓ１１３）。
【００７６】
前述したように、電力ドライブ回路１３０は制御部１１０で受信されるコントロール信号によって一つ以上の発光素子１４０Ａ、１４０Ｂ、…に電源印加を遂行することができる。
【００７７】
そして、電力ドライブ回路１３０は制御部１１０から受信される制御信号によって無線信号受信コイル１２０で生成される誘導起電力を増幅及び調節し、所定電源が各発光素子１４０Ａ、１４０Ｂ、…に供給されるように制御することができる。
【００７８】
供給電源は誘導起電力が増幅及び整流された駆動電力を含むことができるし、所定の周波数、パルス幅及びデューティー比を有する制御信号を含むことができる。駆動電力と制御信号は一つの電源信号に具現されることもできる。これによって、発光素子１４０Ａ、１４０Ｂ、…らは所定の強度と色相で発光するか、または点滅することができる。
【００７９】
また、制御部１１０は無線信号受信コイル１２０で受信される無線信号が発生する誘導起電力が一つ以上の発光素子１４０Ａ、１４０Ｂ、…の電源に印加されるように電力ドライブ回路１３０を制御することができる。
【００８０】
これによって、玩具１００は発光素子１４０Ａ、１４０Ｂ、…らで電源及び制御信号を印加する（Ｓ１１５）。
【００８１】
特に、制御部１１０は距離センシング部１１１、点灯調節部１１３、明るさ調節部１１５及び色相調節部１１７の動作によって無線リーダー装置１００との距離に対応される明るさ制御信号、色相制御信号、点灯制御信号のうちで少なくとも一つの制御信号を生成して電力ドライブ回路１３０で印加することができるし、電力ドライブ回路１３０の電源印加によって発光素子１４０Ａ、１４０Ｂ、…らの明るさ、色相または点滅のうちで少なくとも一つが可変されることができる。
【００８２】
図６及び図７は、本発明の他の一実施例による玩具１００の構成及び無線リーダー装置２００間の動作を示す。
【００８３】
図７に示されたように、玩具１００は無線リーダー装置２００との距離によって第１発光素子１４０Ａの点灯を制御できるだけではなく、無線リーダー装置２００に表示されるディスプレイの変化を誘導することもできる。
【００８４】
このために、図６に示されたように、玩具１００は図２に示された構成以外にも無線タグ部１５０をさらに含むことができる。無線タグ部１５０は、例えば、近距離通信方式を使ったＮＦＣまたはＲＦＩＤ方式の近距離無線通信のためのＲＦＩＤまたはＮＦＣチップであることができる。
【００８５】
無線タグ部１５０は無線リーダー装置２００との通信を遂行することができる。したがって、無線タグ部１５０は受信した信号の復調のための復調手段と、前記データや情報をリーダー器に送るための変調手段を含むことができる。そして、復調された信号による動作を遂行するための制御手段を含むことができる。また、無線タグ部１５０は受動型または能動型タグであることができるし、受動型無線タグである場合では動作に必要な電力を無線信号受信コイル１２０から伝達を受けて動作することができる。
【００８６】
再び、図７を参照すれば、玩具１００は無線タグ部１５０と無線リーダー装置２００の通信によって無線リーダー装置２００で玩具１００に対応される識別情報及びディスプレイパターン情報を送ることができる。これによって、無線リーダー装置２００は近接した玩具１００に対応される識別情報とディスプレイパターン情報を獲得して、これに基礎してディスプレイ画面２０３を提供することができる。
【００８７】
図７に示されたように、玩具１００が近付けば、玩具１００の発光素子１４０Ａ、１４０Ｂ、…らが発光されると共に、無線リーダー装置２００は玩具１００から受信される識別情報によって玩具１００イメージ２０１をディスプレイすることができる。
【００８８】
また、玩具１００との接近距離によって玩具１００の発光素子１４０Ａ、１４０Ｂ、…らの点灯が可変されると共に、無線リーダー装置２００は玩具１００から受信されるディスプレイパターン情報によって玩具１００の発光効果が提供されると共にディスプレイパターン２０２を表示することができる。これによって、無線リーダー装置２００と玩具１００間の連動機能が倍加されて使用者の楽しさを向上させることができる。
【００８９】
このような本発明の実施例による玩具は、その玩具の周辺に位置した無線リーダー装置から無線タグのリーディングのための無線信号を利用して、コイル部を通じて誘導起電力を発生させて、誘導起電力による光源玩具の発光素子に対する発光制御を遂行することで、別途のバッテリーや充電器なしも使用者に光源効果を提供することができるようになる。無線リーダー装置との連携を通じて新しい遊戯を提供することができる。
【００９０】
また、各発光素子別に無線リーダー装置との距離によってお互いに異なる方式の点滅方式を提供することで無線リーダー装置との連動を提供することができる。これによって、子供などの玩具使用者は無線リーダー装置に対する使用原理などの理解度を高めて親密度を向上させることができるようになる。
【００９１】
前述した本発明による方法は、コンピューターで実行されるためのプログラムで製作されてコンピューターが読める記録媒体に記憶されることができるし、コンピューターが読める記録媒体の例としては、ＲＯＭ、ＲＡＭ、ＣＤ−ＲＯＭ、磁気テープ、フロッピーディスク、光データ記憶装置などがあり、またキャリアウェーブ  （例えば、インターネットを通じた伝送）の形態で具現されることも含む。
【００９２】
コンピューターが読める記録媒体は、ネットワークで連結されたコンピューターシステムに分散して、分散方式でコンピューターが読めるコードが記憶されて実行されることができる。そして、前記方法を具現するための機能的な（ｆｕｎｃｔｉｏｎ）プログラム、コード及びコードセグメントらは本発明が属する技術分野のプログラマーらによって容易に推論されることができる。
【００９３】
また、以上では本発明の望ましい実施例に対して図示して説明したが、本発明は上述した特定の実施例に限定されなくて、請求範囲で請求する本発明の要旨を脱することなしに当該発明が属する技術分野で通常の知識を有した者によって多様な変形実施が可能なことは勿論であり、このような変形実施らは本発明の技術的思想や見込みから個別的に理解されてはいけないであろう。
【符号の説明】
【００９４】
１００  玩具
１１０  制御部
１１１  距離センシング部
１１３  点灯調節部
１１５  明るさ調節部
１１７  色相調節部
１２０  無線信号受信コイル
１３０  電力ドライブ回路
１４０Ａ、Ｂ、…  発光素子
２００  無線リーダー装置
３００  無線タグ
【図１】
2016087399.tif 000003
【図２】
2016087399.tif 000004
【図３】
2016087399.tif 000005
【図４】
2016087399.tif 000006
【図５】
2016087399.tif 000007
【図６】
2016087399.tif 000008
【図７】
2016087399.tif 000009